(57)【要約】      （修正有）【課題】水素酸素水を噴霧化できる液体噴霧化装置を提供する。【解決手段】液体を収容でき、該液体を収容する空間が外気と連通するように形成されているケーシング１と、ケーシング１内に配置されていて、水素及び酸素を製造して、ケーシング１内に収容されている液体に水素及び酸素を含ませるための水素酸素製造ユニット２と、ケーシング１内に配置されていて、ケーシング１内に収容されている液体を噴霧化する液体噴霧化ユニットと、を備えている液体噴霧化装置であって、噴霧化された液体を外気に供出することができる。液体噴霧化ユニットは、液体収容空間１１２に露出するように隔壁１２に設置されている振動部３１と、空気を吸入してから通気路１２３を経由して液体収容空間１１２に吹き込んで、液体噴霧化ユニットに噴霧化された水系液体と共に外気へ送出することができる、設置空間１１３に設置されている送風扇３２と、を備えている。【選択図】図５
0003219901.tif 000002
【実用新案登録請求の範囲】
【請求項１】
液体を収容でき、該液体を収容する空間が外気と連通するように形成されているケーシングと、
前記ケーシング内に配置されていて、水素及び酸素を製造して、前記ケーシング内に収容されている液体に水素及び酸素を含ませるための水素酸素製造ユニットと、
前記ケーシング内に配置されていて、前記ケーシング内に収容されている液体を噴霧化する液体噴霧化ユニットと、を備えていて、
前記噴霧化された液体を外気に供出することができることを特徴とする液体噴霧化装置。
【請求項２】
前記ケーシングは、
上方へ開口し、開放空間が画成されるよう構成されている収容ケース、及び、
前記収容ケース内の前記開放空間を、該収容ケースの上方への開口と連通して前記液体を収容する空間になっている液体収容空間と、該液体収容空間の下方にあって、前記収容ケースを介して外気と連通する設置空間と、該設置空間及び前記液体収容空間とそれぞれ連通する少なくとも１つの通気路と、に区切るように前記収容ケース内に配置されている隔壁、を備えており、
前記水素酸素製造ユニットは、水系液体を前記液体とし、水系液体に含有する水成分を電解して水素、酸素を製造する電解装置であって、その水成分を電解するための複数の電解プレートが前記液体収容空間に露出するように前記隔壁に設置されており、
前記液体噴霧化ユニットは、
前記液体収容空間に露出するように前記隔壁に設置されている振動部と、
空気を吸入してから前記通気路を経由して前記液体収容空間に吹き込んで、前記液体噴霧化ユニットに噴霧化された水系液体と共に外気へ送出することができるように、前記設置空間に設置されている送風扇と、を備えていることを特徴とする請求項１に記載の液体噴霧化装置。
【請求項３】
前記ケーシングは、前記収容ケースの上方開口を脱着可能に覆うことができるように構成されている蓋を更に備えており、
前記蓋には、該蓋が前記収容ケースの上方開口を覆う際に、前記液体収容空間と外気とを連通させる連通開口が開けられていることを特徴とする請求項２に記載の液体噴霧化装置。
【請求項４】
前記蓋は、蓋本体と、連通調節機構と、を備えており、
前記蓋本体は、前記収容ケースの上方開口を覆うものであって、該上方開口を覆う上板に、前記連通開口として少なくとも１つの流出開口及び少なくとも１つの流出孔が開けられており、
前記連通調節機構は、
前記蓋本体における上板の前記液体収容空間に向かう裏面に設置されているものであって、
前記流出開口と連通する連通口が少なくとも１つ開けられ、且つ、
両端が開口した中空筒状になり、一端開口が前記少なくとも１つの流出孔と連通するように設置されている少なくとも１つの連通筒と、
前記連通口と前記液体収容空間との連通及び前記連通筒における他端開口と前記液体収容空間との連通のいずれかに切り替えられるように配置構成されている少なくとも１つの切替手段と、を備えていることを特徴とする請求項３に記載の液体噴霧化装置。
【請求項５】
前記隔壁は、
略水平に配置されている基壁部と、
前記基壁部から上へ延伸し、前記収容ケースと共に前記通気路を形成している周壁部と、を備えており、
前記振動部及び前記複数の電解プレートは、前記基壁部に配置されていることを特徴とする請求項４に記載の液体噴霧化装置。
【請求項６】
前記ケーシングには、更に制御ユニット及び複数のスイッチが設置されており、
前記制御ユニットは、
前記設置空間内に設置され、且つ、前記振動部、前記複数の電解プレート及び前記送風扇の作動を制御できるように前記振動部、前記複数の電解プレート及び前記送風扇に電気的に連接されている制御モジュールと、
前記通気路内に設置され、且つ、前記制御モジュールに電気的に連接されている少なくとも１つの照明具と、
前記制御モジュールに電気的に連接され、且つ、該液体収容空間に収容されている水系液体の液面の高さを測定することができるように前記液体収容空間に設置されている液面計と、を備えており、
前記複数のスイッチは、前記制御モジュールに電気的に連接され、且つ、外部から操縦できるように前記収容ケースに設置されていることを特徴とする請求項５に記載の液体噴霧化装置。
【請求項７】
前記ケーシングには、更に制御ユニットが設置されており、
前記制御ユニットは、前記ケーシングの前記液体収容空間に収容されている水系液体を外部へ導出するための液体導出モジュールを備えていることを特徴とする請求項４に記載の液体噴霧化装置。
【請求項８】
前記隔壁は、
板体であって、略水平に配置され、且つ、該板体の肉厚に前記通気路が形成されている基壁部と、
前記基壁部から上へ延伸し、前記収容空間を形成している周壁部と、を備えており、
前記振動部及び前記複数の電解プレートは、前記基壁部に配置されており、また、
前記制御ユニットは、
前記設置空間に設置され、且つ、前記振動部、前記複数の電解プレート、前記送風扇及び前記液体導出モジュールの作動を制御できるように前記振動部、前記複数の電解プレート、前記送風扇及び前記液体導出モジュールに電気的に連接されている制御モジュールと、
前記収容空間内に設置され、且つ、前記制御モジュールに電気的に連接されている少なくとも１つの照明具と、
前記液体収容空間に設置され、且つ、該液体収容空間に収容されている水系液体の液面の高さを測定することができるように前記制御モジュールに電気的に連接されている液面計と、を備えており、
前記ケーシングには、前記制御モジュールに電気的に連接され、且つ、外部から操縦できるように前記収容ケースに設置されている複数のスイッチを更に備えていることを特徴とする請求項７に記載の液体噴霧化装置。
【考案の詳細な説明】
【技術分野】
【０００１】
本考案は、噴霧化装置に関し、特に水素酸素を含有する液体を製造して噴霧化する液体噴霧化装置に関する。
【背景技術】
【０００２】
人体では毎日ラジカルが発生しているという研究結果が発表され、そして、ラジカルは、不対電子をもつ原子や分子であり、様々な物質に対して化学反応をもたらすことから、人体の細胞に損傷を与えたり、酸化脂質が生じて細胞の老化を加速させたりといった人体に対する有害性が指摘されている。
【０００３】
水素は還元剤としてラジカルと反応するので、人体内のラジカルを消去して、ラジカルが人体の細胞に損傷を与えることを防止できる。また、水素は抗酸化作用を有し、人体内の酸化反応を緩和して細胞の老化と酸化脂質の生成とを抑える効果を持つとされている。
【０００４】
水素は更に、敗血症性ショックを治療する効果と、外傷、器官移植などの損傷の回復を促進する効果と、炎症を抑制する効果と、脳細胞の損傷を抑えてパーキンソン病などを予防しまたは治療する効果と、を有するともされている。従って、水素を摂取することは人体に有益な効果がある。
【０００５】
更に、水素酸素を含有する液体水を空気中に散布すると、空気中の微生物を殺滅して、空気を浄化する機能を有する。
【０００６】
しかし、従来の噴霧化装置、例えば特許文献１に記載されている噴霧化装置は、図１に示されるように、振動装置Ｂで収容槽Ａ内の水とエッセンシャルオイルとの混合物を噴霧化するので、空気を浄化する機能及び人体内のラジカルを消去する機能を有しない。
【先行技術文献】
【特許文献】
【０００７】
【特許文献１】台湾特許第Ｉ５２０７８７号公報
【考案の概要】
【考案が解決しようとする課題】
【０００８】
上記問題点に鑑みて、本考案は、水素酸素を含有する液体を製造して噴霧化できる液体噴霧化装置の提供を目的とする。
【課題を解決するための手段】
【０００９】
上記目的を達成すべく、本考案は、液体を収容でき、該液体を収容する空間が外気と連通するように形成されているケーシングと、前記ケーシング内に配置されていて、水素及び酸素を製造して、前記ケーシング内に収容されている液体に水素及び酸素を含ませるための水素酸素製造ユニットと、前記ケーシング内に配置されていて、前記ケーシング内に収容されている液体を噴霧化する液体噴霧化ユニットと、を備えていて、前記噴霧化された液体を外気に供出することができることを特徴とする液体噴霧化装置を提供する。
【考案の効果】
【００１０】
上記構成により、本考案の液体噴霧化装置は、水素酸素を含有する液体を製造できる上に、液体噴霧化手段により水素酸素を含有する液体を噴霧化できるので、空気を浄化することができ、且つ人体内のラジカルを消去することができる。
【図面の簡単な説明】
【００１１】
【図１】従来の噴霧化装置を示す断面図である。
【図２】本考案の第１の実施形態の液体噴霧化装置を示す斜視図である。
【図３】上記液体噴霧化装置を示す部品分解図である。
【図４】上記液体噴霧化装置の蓋が設置されていない状態を示す上視図である。
【図５】上記液体噴霧化装置を示す側視断面図である。
【図６】上記液体噴霧化装置を示す正面断面図である。
【図７】本考案の第２の実施形態の液体噴霧化装置を示す斜視図である。
【図８】上記液体噴霧化装置を示す部品分解図である。
【図９】上記液体噴霧化装置の蓋が設置されていない状態を示す上視図である。
【図１０】上記液体噴霧化装置を示す正面断面図である。
【図１１】上記液体噴霧化装置を示す側視断面図である。
【図１２】上記液体噴霧化装置を示す部品分解図である。
【考案を実施するための形態】
【００１２】
以下、図面を参照しながら、本考案の液体噴霧化装置の各実施形態について詳しく説明する。
【００１３】
＜第１の実施形態＞
図２は本考案の第１の実施形態の液体噴霧化装置を示す斜視図である。図３は上記液体噴霧化装置を示す部品分解図である。図４は上記液体噴霧化装置の蓋が設置されていない状態を示す上視図である。
【００１４】
本考案の液体噴霧化装置は、図２〜４に示されるように、液体を収容するでき、該液体を収容する空間が外気と連通するように形成されているケーシング１と、ケーシング１内に配置されていて、水素及び酸素を製造して、ケーシング１内に収容されている液体に水素及び酸素を含ませるための水素酸素製造ユニット２と、ケーシング１内に配置されていて、ケーシング１内に収容されている液体を噴霧化する液体噴霧化ユニット３と、ケーシング１に設置されている制御ユニット４とを備えていて、噴霧化された液体を外気に供出することができる。
【００１５】
図５は上記液体噴霧化装置を示す側視断面図である。図６は上記液体噴霧化装置を示す正面断面図である。
【００１６】
ケーシング１は、図３、図５、図６に示されるように、収容ケース１１と、隔壁１２と、蓋１３と、外部から操縦できるように収容ケース１１に設置されている複数のスイッチ１１１とを備えている。
【００１７】
収容ケース１１は、上方へ開口し、開放空間が画成されるよう構成されている。
【００１８】
隔壁１２は、収容ケース１１内の前記開放空間を、該収容ケース１１の上方への開口と連通して前記液体を収容する空間になっている液体収容空間１１２と、液体収容空間１１２の下方にあって、収容ケース１１を介して外気と連通する設置空間１１３と、該設置空間１１３及び液体収容空間１１２とそれぞれ連通する少なくとも１つの通気路１２３と、に区切るように収容ケース１１内に配置されている。
【００１９】
具体的に、隔壁１２は、略水平に配置されている基壁部１２１と、基壁部１２１から上へ延伸し、収容ケース１１と共に通気路１２３を形成している周壁部１２２と、を備えていて、収容ケース１１内の前記開放空間は基壁部１２１に上方の液体収容空間１１２と下方の設置空間１１３に区切られている。この実施形態において、通気路１２３は１つに形成されているが、複数に形成することもできる。
【００２０】
蓋１３は、ケーシング１の収容ケース１１の上方開口を脱着可能に覆うことができるように構成されていて、収容ケース１１の上方開口を覆う際に、液体収容空間１１２と外気とを連通させる連通開口が開けられている。
【００２１】
蓋１３の詳しい構成について、図３、図５、図６に示されるように、蓋１３は、蓋本体１３０と、連通調節機構１３１と、を備えている。
【００２２】
蓋本体１３０は、収容ケース１１の上方開口を覆うものであって、該上方開口を覆う上板に、前記連通開口として少なくとも１つの流出開口１３３及び少なくとも１つの流出孔１３４が開けられている。
【００２３】
連通調節機構１３１は、蓋本体１３０における上板の液体収容空間１１２に向かう裏面に設置されているものであって、調節手段本体１３８と、少なくとも１つの連通筒１３６と、少なくとも１つの切替手段１３２とを備えている。
【００２４】
調節手段本体１３８は、流出開口１３３と連通する連通口１３５が少なくとも１つ開けられ、且つ、切替手段１３２を設置するための設置孔１３７が少なくとも１つ開けられている。
【００２５】
少なくとも１つの連通筒１３６は、両端が開口した中空筒状になり、一端開口が少なくとも１つの流出孔１３４と連通するように調節手段本体１３８に設置されている。
【００２６】
少なくとも１つの切替手段１３２は、連通口１３５と液体収容空間１１２との連通及び連通筒１３６における他端開口と液体収容空間１１２との連通のいずれかに切り替えられるように、回転可能に調節手段本体１３７の液体収容空間１１２に向かう裏面に配置構成されている。
【００２７】
この実施形態において、切替手段１３２、流出孔１３４、連通口１３５、連通筒１３６のそれぞれは、３つに形成されて、それぞれ１セットになるように互いに対応して、３セットを有し、流出開口１３３は１つに形成されている。
【００２８】
切替手段１３２は、枢設孔１３２１、回転制限孔１３２２及び連通孔１３２３が開けられ、且つ、遮蔽部１３２４を有する。軸（図示せず）が枢設孔１３２１及び設置孔１３７に穿設により、切替手段１３２は、前記軸を軸心に回転可能に設置される。また、切替手段１３２が設置される際に、調節手段本体１３８の液体収容空間１１２に向かう裏面に形成されている突起（図示せず）が回転制限孔１３２２に進入して、切替手段１３２の回転範囲を制限する。
【００２９】
切替手段１３２は、前記軸を軸心に回転することにより、連通孔１３２３が連通筒１３６における前記他端開口の位置に位置し、且つ、遮蔽部１３２４が連通口１３５の位置に位置する際、連通孔１３２３が連通筒１３６における前記他端開口と連通し、且つ、連通口１３５が遮蔽部１３２４に遮蔽され、連通筒１３６における他端開口と液体収容空間１１２と連通する状態になって、噴霧化された液体が連通筒５４の中空部分及び流出孔５１２を経由して外気へ流出する。。
【００３０】
また、切替手段１３２は、前記軸を軸心に回転することにより、連通口１３５から離れ、且つ、遮蔽部１３２４が連通筒１３６における前記他端開口の位置に位置する際、連通筒１３６における前記他端開口が遮蔽部１３２４に遮蔽され、且つ、連通口１３５が切替手段１３２にカバーされず、連通口１３５と液体収容空間１１２と連通する状態になって、噴霧化された液体が連通口５３１及び流出開口５１１を経由して外気へ流出する。
【００３１】
水素酸素製造ユニット２は、図３〜５に示されるように、液体に含有する水成分を電解して水素、酸素を製造する電解装置であって、その水成分を電解するための複数の電解プレート２１が液体収容空間１１２に露出するように隔壁１２に設置されている。
【００３２】
この実施形態において、水素酸素製造ユニット２は電解装置であるので、水成分を含有する水系液体（例えばエッセンシャルオイルが混入された水）が前記液体として使用され、且つ、電解プレート２１は、２つであって、隔壁１２の基壁部１２１に設置されている。
【００３３】
液体噴霧化ユニット３は、図３〜５に示されるように、液体収容空間１１２に露出するように隔壁１２に設置されている振動部３１と、空気を吸入してから通気路１２３を経由して液体収容空間１１２に吹き込んで、液体噴霧化ユニット３に噴霧化された水系液体と共に外気へ送出することができるように、設置空間１１３に設置されている送風扇３２と、を備えている。
【００３４】
この実施形態において、振動部３１は、隔壁１２の基壁部１２１に設置され、且つ、設置空間１１３を形成する収容ケース１１には外気と連通する開口があって、送風扇３２は該開口から空気を吸入するように設置されている。
【００３５】
制御ユニット４は、図３〜５に示されるように、制御モジュール４１と、少なくとも１つの照明具４２と、液面計４３と、を備えている。
【００３６】
制御モジュール４１は、設置空間１１３内に設置され、且つ、振動部３１、複数の電解プレート２１及び送風扇３２の作動を制御できるように振動部３１、複数の電解プレート２１及び送風扇３２に電気的に連接されている。また、複数のスイッチ１１１も制御モジュール４１に電気的に連接されている。
【００３７】
少なくとも１つの照明具４２は、通気路１２３内に設置され、且つ、制御モジュール４１に電気的に連接されている。
【００３８】
液面計４３は、制御モジュール４１に電気的に連接され、且つ、液体収容空間１１２に収容されている水系液体の液面の高さを測定することができるように液体収容空間１１２に設置されている。液面計４３は、液体収容空間１１２に収容されている水系液体の液面の高さが所定の高さ以下であると測定すると、制御モジュール４１に信号を送り、制御モジュール４１は、該信号を受けると、電解プレート２１、振動部３１及び送風扇３２の作動を停止させる。
【００３９】
照明具４２の光を上へ照射できるため、蓋１３及び周壁部１２２は、透光口が開けられまたは透光材料により構成されることができる。
【００４０】
この実施形態において、照明具４２は、１つが設置されているが、必要に応じて複数の照明具４２を設置することもできる。
【００４１】
以下、本実施形態の液体噴霧化装置の使用方法について説明する。
【００４２】
先ず、蓋１３を開けて、水系液体（例えばエッセンシャルオイルが混入された水）を収容ケース１１の液体収容空間１１２に注いだ後、蓋１３を閉める。
【００４３】
水素及び酸素を製造することを制御するスイッチ１１１をオンにして、制御モジュール４１が電気を複数の電解プレート２１に流通させて、水系液体に含まれる水が電解されて、水素及び酸素が生成されて、液体内に水素及び酸素を含有させる。
【００４４】
そして、噴霧化を制御するスイッチ１１１をオンにして、制御モジュール４１が電気を振動部３１に流通させて、振動部３１が振動し、液体収容空間１１２内の水素及び酸素を含有する水系液体を噴霧化する。同時に、制御モジュール４１が送風扇３２を作動させて、送風扇３２による風が通気路１２３を経由して液体収容空間１１２に吹き込んで、液体噴霧化ユニット３に噴霧化された水系液体と共に、蓋１３を経由して外気へ送出する。それにより、水素及び酸素を含有する噴霧化水系液体は、外気へ送出されて、空気を浄化し、且つ、使用者が吸入できる。
【００４５】
また、切替手段１３２の操作により、噴霧化水系液体が連通口１３５または連通筒１３６における前記一端開口から送出でき、そして、照明具４２を制御するスイッチ１１１をオンにして、照明具４２の光と噴霧化水系液体との組み合わせにより、使用者をリラックスさせる視覚的な演出効果が生じる。なお、蓋本体１３０における上板に仏像などの飾り物を置けば、荘厳且つ神聖的な雰囲気が生じる。
【００４６】
＜第２の実施形態＞
図７は本考案の第２の実施形態の液体噴霧化装置を示す斜視図である。図８は上記の液体噴霧化装置を示す部品分解図である。図９は上記の液体噴霧化装置の蓋が設置されていない状態を示す上視図である。図１０は上記の液体噴霧化装置を示す正面断面図である。図１１は上記の液体噴霧化装置を示す側視断面図である。図１２は上記の液体噴霧化装置を示す部品分解図である。
【００４７】
本考案の第２の実施形態は、上記第１の実施形態と多くの構成が共通するので、ここでは詳しい説明を省略し、その相違点のみを説明する。
【００４８】
図７〜１０に示されるように、ケーシング１は、座部１４を更に備えている。
【００４９】
隔壁１２は、板体であって、略水平に配置され、且つ、該板体の肉厚に通気路１２３が形成されている基壁部１２１と、基壁部１２１から上へ延伸し、上端で開口して、照明具４２が設置されている収容空間１１４を形成している周壁部１２２と、通気路１２３の液体収容空間１１２に向かう周縁から上へ延伸して、液体収容空間１１２内の液体が通気路１２３への流動を阻止できる壁１２４とを備えている。
【００５０】
この実施形態では、周壁部１２２は、２つに分離するように構成され、照明具４２は２つの周壁部１２２それぞれに設けられ、振動部３１及び２つの電解プレート２１は、同心円になるように壁１２４を囲繞して設置されている。
【００５１】
図８、図１０、図１１に示されるように、蓋５は、連通調節機構５０と、蓋本体５１と、により構成されている。  
【００５２】
蓋本体５１は、収容ケース１１の上方開口を覆うものであって、該上方開口を覆う上板に、連通開口として１つの流出開口５１１及び３つの流出孔５１２と、２つの出水孔５１３と、４つの検知孔５１４とが開けられ、且つ、２つの周壁部１２２の上端開口の位置それぞれに対応して、透光材料で構成されている２つの透光部５１５を備えている。
【００５３】
連通調節機構５０は、蓋本体５１における上板の液体収容空間１１２に向かう裏面に設置されているものであって、第１の調節手段本体５２と、第２の調節手段本体５３と、３つの連通筒５４と、３つの切替手段５５と、３つのブロック５６とを備えている。
【００５４】
第１の調節手段本体５２は、２つの周壁部１２２の上端開口及び２つの透光部５１５の位置のそれぞれに対応する２つの透光口５２２及び液体収容空間１１２と連通する通過口５２１が開けられている。
【００５５】
第２の調節手段本体５３は、第１の調節手段本体５２と共に通過口５２１を包囲する第１の隔離空間６３と、蓋本体５１と共に１つの流出開口５１１及び３つの流出孔５１２を包囲する第２の隔離空間６４とを形成するように配置構成され、第１の隔離空間６３と第２の隔離空間６４を介して流出開口５１１と連通する連通口５３１及び切替手段が気密に挿入できる挿入口が３つ開けられている。
【００５６】
３つの連通筒５４は、両端が開口した中空筒状になり、一端開口が３つの流出孔５１２のそれぞれと連通するように第１の調節手段本体５２に回転可能に設置されている。
【００５７】
３つの切替手段５５は、連通口５３１と液体収容空間１１２との連通及び連通筒５４における前記他端開口と液体収容空間１１２との連通のいずれかに切り替えられるように回転可能に第１の調節手段本体５２の液体収容空間１１２に向かう裏面に配置構成されている。
【００５８】
この実施形態において、連通口５１１及び連通筒５４における前記他端開口は、第１の隔離空間６３を介して液体収容空間１１２と連通する。切替手段５５は、連通筒５４と一体的に成形されていて、一端が連通筒５４における他端開口と連通し、下端面に開口がある扇形部５５１を有するように中空に形成されている。切替手段５５は、連通筒５４と一体的に形されているので、連通筒５４の延伸方向を軸心として連通筒５４を回転すると、切替手段５５も連通筒５４と共に回転する。
【００５９】
従って、切替手段５５は、前記回転により、図８に示されるように、切替手段５５の扇形部５５１がブロック５６と重なる際、扇形部５５１の下端面の開口がブロック５６に遮蔽され、連通口５３１が開放されている状態になるので、切替手段５５は、流出孔５１２が液体収容空間１１２と連通せず、連通口５３１が液体収容空間１１２と連通する状態になる第１の連通位置に位置して、噴霧化された液体が通過口５２１、第１の隔離空間６３、連通口５３１、第２の隔離空間６４及び流出開口５１１を経由して外気へ流出する。
【００６０】
また、切替手段５５は、前記回転により、切替手段５５がブロック５６から離れて、連通口５３１の位置に重なる際、扇形部５５１の下端面の開口が開放され、連通口５３１が切替手段５５の扇形部５５１に遮蔽されている状態になるので、切替手段５５は、連通口５３１が液体収容空間１１２と連通せず、流出孔５１２が液体収容空間１１２と連通する状態になる第２の連通位置に位置して、噴霧化された液体が通過口５２１、第１の隔離空間６３、切替手段５５と連通筒５４との中空部分及び流出孔５１２を経由して外気へ流出する。
【００６１】
なお、一部の切替手段５５を第１の連通位置に位置し、他の一部の切替手段５５を第２の連通位置に位置することができる。
【００６２】
制御ユニット４は、ケーシング１の液体収容空間１１２に収容されている液体を外部へ導出するための液体導出モジュール４４と、蓋本体５１における上板の液体収容空間１１２に向かう裏面に設置されている検知モジュール４５とを更に備えている。
【００６３】
制御モジュール４１は、更に液体導出モジュール４４及び検知モジュール４５に電気的に連接されている。
【００６４】
照明具４２の光は、透光口５２２及び透光部５１５を通過して上へ照射することができる。
【００６５】
液面計４３は、上下方向に延伸し、液体収容空間１１２に露出するように基壁部１２１に固定されている設置棒４３１と、設置棒４３１に沿って上下に移動できるように設置棒４３１に配置されている浮体４３２と、設置棒４３１の底部に設置され、制御モジュール４１に電気的に連接されているリードスイッチ４３３を備えている。
【００６６】
浮体４３２がリードスイッチ４３３に接近すると、リードスイッチ４３３が作動して、電解プレート２１、振動部３１及び送風扇３２の作動を停止させる。
【００６７】
液体導出モジュール４４は、一端が出水孔５１３に連通する輸水管４４１と、水を輸水管４４１を経由させて出水孔５１３から排出するポンプ４４２と、を備えている。
【００６８】
検知モジュール４５は、赤外線などの光センサであり、使用者の手または他の物体が検知孔５２４に接近すると、検知モジュール４５が検知して、液体導出モジュール４４のポンプ４４２を作動させて、水素及び酸素を含有する液体を排出して、手や物を洗うことができる。
【００６９】
この第２の実施形態の液体噴霧化装置の使用方法は第１の実施形態と共通する部分が多いので、ここで詳しい説明を省略する。
【産業上の利用可能性】
【００７０】
本考案の液体噴霧化装置は、水素及び酸素を含有する液体を噴霧化することができるので、人体の健康の向上や空気の浄化に使用することに好適である。
【符号の説明】
【００７１】
１  ケーシング
２  水素酸素製造ユニット
３  液体噴霧化ユニット
４  制御ユニット
１１  収容ケース
１１１  スイッチ
１１２  液体収容空間
１１３  設置空間
１１４  収容空間
１２  隔壁
１２１  基壁部
１２２  周壁部
１２３  通気路
１２４  壁
１３、５  蓋
１３０、５１  蓋本体
１３１、５０  連通調節機構
１３２、５５  切替手段
１３２１  枢設孔
１３２２  回転制限孔
１３２３  連通孔
１３２４  遮蔽部
１３３、５１１  流出開口
１３４、５１２  流出孔
１３５、５３１  連通口
１３６、５４  連通筒
１３７  設置孔
１３８  調節手段本体
１４  座部
２１  電解プレート
３１  振動部
３２  送風扇
４１  制御モジュール
４２  照明具
４３  液面計
４３１  設置棒
４３２  浮体
４３３  リードスイッチ
４４  液体導出モジュール
４４１  輸水管
４４２  ポンプ
４５  検知モジュール
５１３  出水孔
５１４  検知孔
５１５  透光部
５２  第１の調節手段本体
５３  第２の調節手段本体
５２１  通過口
５２２  透光口
５５１  扇形部
５６  ブロック
６３  第１の隔離空間
６４  第２の隔離空間
【図１】
0003219901.tif 000003
【図２】
0003219901.tif 000004
【図３】
0003219901.tif 000005
【図４】
0003219901.tif 000006
【図５】
0003219901.tif 000007
【図６】
0003219901.tif 000008
【図７】
0003219901.tif 000009
【図８】
0003219901.tif 000010
【図９】
0003219901.tif 000011
【図１０】
0003219901.tif 000012
【図１１】
0003219901.tif 000013
【図１２】
0003219901.tif 000014